(57)【特許請求の範囲】
【請求項１】
器具本体と、
前記器具本体の中央部に配置された給電部と、
前記給電部の周りに円環状に配置され、前記給電部から供給される電力により点灯する複数のＬＥＤと、
前記複数のＬＥＤの前方に配置され、前記複数のＬＥＤから放射される光の配光を制御する光学部材と、
前記光学部材の前方に配置され、前記光学部材により配光制御された光を拡散させる拡散部材とを備え、
前記光学部材は、前記複数のＬＥＤのそれぞれに対応する部位に前方に凸となるレンズ部が設けられており、
各々の前記ＬＥＤは、第１の円の周上に配置される第１のＬＥＤ、又は前記第１の円と同心で且つ半径が前記第１の円よりも大きい第２の円の周上に配置される第２のＬＥＤの何れかであり、
各々の前記レンズ部は、前記第１のＬＥＤに対応する部位に設けられた第１のレンズ部、又は前記第２のＬＥＤに対応する部位に設けられた第２のレンズ部の何れかであり、
各々の前記レンズ部は、前記レンズ部と前記給電部とを結ぶ第１の方向における前記給電部側の端部に、対応する前記ＬＥＤからの光を前記拡散部材の中央側に向けて配光する第１の凸部が設けられ、前記第１の方向における前記給電部と反対側の端部に、対応する前記ＬＥＤからの光を前記拡散部材の外縁側に向けて配光する第２の凸部が設けられており、
前記第１の凸部の表面及び前記第２の凸部の表面は、それぞれ曲面であることを特徴とする照明器具。
【請求項２】
各々の前記レンズ部は、前記第１の凸部から出射される光のうち光強度が最も強い第１の主ビームの出射角度及び前記第２の凸部から出射される光のうち光強度が最も強い第２の主ビームの出射角度がそれぞれ他のレンズ部と同角度に設定されていることを特徴とする請求項１記載の照明器具。
【請求項３】
各々の前記レンズ部は、対応する前記ＬＥＤの光軸に対して、前記第１の凸部から出射される光のうち光強度が最も強い第１の主ビームの出射角度と、前記第２の凸部から出射される光のうち光強度が最も強い第２の主ビームの出射角度とが同角度に設定されていることを特徴とする請求項１又は２記載の照明器具。
【請求項４】
前記第１の円は、半径がｒ１に設定され、前記第２の円は、半径がｒ１よりも大きいｒ２に設定されており、
前記第１のレンズ部の前記第１の凸部から出射される光のうち光強度が最も強い第１の主ビームと前記第１のＬＥＤの光軸のなす角度をθ１、前記第１のレンズ部の前記第１の主ビームと前記拡散部材の交点から、前記第１の円及び前記第２の円の中心を通り前記光軸と平行な第１の線までの距離をＬ１とし、
前記第２のレンズ部の前記第１の凸部から出射される光のうち光強度が最も強い第１の主ビームと前記第２のＬＥＤの光軸のなす角度をθ２、前記第２のレンズ部の前記第１の主ビームと前記拡散部材の交点から前記第１の線までの距離をＬ２とした場合、
前記第１のレンズ部及び前記第２のレンズ部は、２×ｒ１≧ｒ２、３×Ｌ２≦Ｌ１、ｒ１≧Ｌ１、Ｌ２≧０を満たすように前記角度θ１及びθ２が設定されていることを特徴とする請求項１〜３の何れか１項に記載の照明器具。
【請求項５】
各々の前記レンズ部は、少なくとも入射面又は出射面の何れか一方に拡散処理が施されていることを特徴とする請求項１〜４の何れか１項に記載の照明器具。
【請求項６】
各々の前記レンズ部は、対応する前記ＬＥＤの光軸近傍の拡散性が他の部位に比べて高められていることを特徴とする請求項１〜４の何れか１項に記載の照明器具。
【発明の詳細な説明】
【技術分野】
【０００１】
本発明は、照明器具に関するものである。
【背景技術】
【０００２】
従来より、天井に取付可能な明り取り用の照明装置が提供されている（例えば特許文献１参照）。この照明装置は、円盤状に形成されたベース板を備え、ベース板の略中央部には給電部及び点灯装置が取り付けられており、さらにベース板の一面には複数のＬＥＤが点灯装置の周りに円環状に配置されている。また複数のＬＥＤの前方には、ＬＥＤから放射された光を真下に集光させる狭角配光部と、ＬＥＤから放射された光を拡散させる広角配光部とがＬＥＤの配列方向に沿って交互に配置された配光制御部材が回動自在に設けられている。
【０００３】
この照明装置では、配光制御部材を回動させて狭角配光部を各ＬＥＤに対向させることでＬＥＤから放射された光を真下に集光でき、また広角配光部を各ＬＥＤに対向させることでＬＥＤから放射された光を広角に拡散させることができる。
【先行技術文献】
【特許文献】
【０００４】
【特許文献１】特開２００３−８６００６号公報（段落［００２２］−段落［００３１］、及び、第１図−第４図）
【発明の概要】
【発明が解決しようとする課題】
【０００５】
上述の特許文献１に示した照明装置では、ＬＥＤから放射された光を広角に配光できるものの、点灯装置が配置された装置中央側への光量は真下への光量に比べて少ないため、他の部位に比べて中央部が暗くなってしまい、見栄えが悪くなるという問題があった。
【０００６】
本発明は上記問題点に鑑みて為されたものであり、その目的とするところは、ＬＥＤから放射された光を拡散部材の全面に配光することで見栄えを向上させた照明器具を提供することにある。
【課題を解決するための手段】
【０００７】
本発明の照明器具は、器具本体と、器具本体の中央部に配置された給電部と、給電部の周りに円環状に配置され、給電部から供給される電力により点灯する複数のＬＥＤとを備える。また本照明器具は、複数のＬＥＤの前方に配置され、複数のＬＥＤから放射される光の配光を制御する光学部材と、光学部材の前方に配置され、光学部材により配光制御された光を拡散させる拡散部材とを備える。光学部材は、複数のＬＥＤのそれぞれに対応する部位に前方に凸となるレンズ部が設けられている。各々のＬＥＤは、第１の円の周上に配置される第１のＬＥＤ、又は第１の円と同心で且つ半径が第１の円よりも大きい第２の円の周上に配置される第２のＬＥＤの何れかである。各々のレンズ部は、第１のＬＥＤに対応する部位に設けられた第１のレンズ部、又は第２のＬＥＤに対応する部位に設けられた第２のレンズ部の何れかである。各々のレンズ部は、レンズ部と給電部とを結ぶ第１の方向における給電部側の端部に、対応するＬＥＤからの光を拡散部材の中央側に向けて配光する第１の凸部が設けられ、第１の方向における給電部と反対側の端部に、対応するＬＥＤからの光を拡散部材の外縁側に向けて配光する第２の凸部が設けられている。第１の凸部の表面及び第２の凸部の表面は、それぞれ曲面である。
【０００８】
この照明器具において、各レンズ部は、第１の凸部から出射される光のうち光強度が最も強い第１の主ビームの出射角度及び第２の凸部から出射される光のうち光強度が最も強い第２の主ビームの出射角度がそれぞれ他のレンズ部と同角度に設定されているのが好ましい。
【０００９】
また、この照明器具において、各レンズ部は、対応するＬＥＤの光軸に対して、第１の凸部から出射される光のうち光強度が最も強い第１の主ビームの出射角度と、第２の凸部から出射される光のうち光強度が最も強い第２の主ビームの出射角度とが同角度に設定されているのも好ましい。
【００１０】
さらに、この照明器具において、第１の円は、半径がｒ１に設定され、第２の円は、半径がｒ１よりも大きいｒ２に設定されており、第１のレンズ部の第１の凸部から出射される光のうち光強度が最も強い第１の主ビームと第１のＬＥＤの光軸のなす角度をθ１、第１のレンズ部の第１の主ビームと拡散部材の交点から、第１の円及び第２の円の中心を通り光軸と平行な第１の線までの距離をＬ１とし、第２のレンズ部の第１の凸部から出射される光のうち光強度が最も強い第１の主ビームと第２のＬＥＤの光軸のなす角度をθ２、第２のレンズ部の第１の主ビームと拡散部材の交点から第１の線までの距離をＬ２とした場合、第１のレンズ部及び第２のレンズ部は、２×ｒ１≧ｒ２、３×Ｌ２≦Ｌ１、ｒ１≧Ｌ１、Ｌ２≧０を満たすように角度θ１及びθ２が設定されているのも好ましい。ここに、上記第１の主ビームと拡散部材の交点とは、上記第１の主ビームと拡散部材の内側面との交点のことをいう。
【００１１】
また、この照明器具において、各レンズ部は、少なくとも入射面又は出射面の何れか一方に拡散処理が施されているのも好ましい。
【００１２】
さらに、この照明器具において、各レンズ部は、対応するＬＥＤの光軸近傍の拡散性が他の部位に比べて高められているのも好ましい。
【発明の効果】
【００１３】
ＬＥＤから放射された光を拡散部材の全面に配光することで見栄えを向上させた照明器具を提供することができるという効果がある。
【図面の簡単な説明】
【００１４】
【図１】実施形態１の照明器具の一例を示す分解斜視図である。
【図２】（ａ）は前面側から見た同上の外観斜視図、（ｂ）は後面側から見た同上の外観斜視図である。
【図３】同上の要部拡大図である。
【図４】（ａ）（ｂ）は同上を構成する光学部材の配光特性図である。
【図５】（ａ）（ｂ）は同上を構成する光学部材の別の配光特性図である。
【図６】（ａ）（ｂ）は同上を構成する光学部材のさらに別の配光特性図である。
【図７】（ａ）（ｂ）は同上を構成する光学部材のさらにまた別の配光特性図である。
【図８】（ａ）（ｂ）は同上を構成する光学部材の要部拡大図である。
【図９】実施形態２の照明器具の配光状態を示す模式図である。
【図１０】（ａ）（ｂ）は同上を構成する光学部材の配光特性図、（ｃ）（ｄ）は比較対象の光学部材の配光特性図である。
【図１１】（ａ）は同上を構成する光学部材による配光状態を示す模式図、（ｂ）は比較対象の光学部材による配光状態を示す模式図である。
【図１２】（ａ）（ｂ）は同上の輝度分布図である。
【発明を実施するための形態】
【００１５】
以下に、照明器具の実施形態について図面を参照して説明する。この照明器具は、所謂シーリングライトであり、天井に直接取り付けられて室内全体を照明するために用いられる。
【００１６】
（実施形態１）
図１は実施形態１の照明器具Ａの一例を示す分解斜視図であり、この照明器具Ａは、円盤状に形成された器具本体１と、器具本体１の中央部に配置される給電部５と、給電部５の周りに円環状に配置される発光部２とを備える。また照明器具Ａは、発光部２の前方に配置され、発光部２から放射された光の配光を制御する光学部材３と、光学部材３の前方に配置され、光学部材３により配光制御された発光部２からの光を拡散させる拡散部材４とを備える。
【００１７】
発光部２は、円弧状に湾曲する複数（図１では４個）の実装基板２１を有し、各実装基板２１の一面（図１中の上面）には、複数のＬＥＤ（発光ダイオード）２２が実装基板２１の幅方向において２列で且つ実装基板２１の長手方向に沿って実装されている。これらの実装基板２１は、図１に示すように器具本体１の中央部に配置された給電部５の周りに円環状に配置され、例えば取付ねじ（図示せず）を用いて器具本体１に取り付けられる。
【００１８】
給電部５は、実装基板２１に実装された複数のＬＥＤ２２を点灯するための点灯電力を生成し、生成した点灯電力を電線（図示せず）を介して各実装基板２１にそれぞれ供給する。具体的には、給電部５は、外部電源（図示せず）から供給された交流電圧を所望の電圧値（ＬＥＤ２２を点灯させるのに必要な電圧値）の直流電圧に変換し、変換した直流電圧を各実装基板２１にそれぞれ供給するのである。なおこの給電部５は、例えば取付ねじ（図示せず）を用いて器具本体１に取り付けられる。
【００１９】
拡散部材４は、例えば光拡散剤を添加させた乳白色のアクリル樹脂により一面（図１中の下面）が開口するドーム状に形成され、光学部材３の前方から器具本体１に着脱自在に取り付けられる。
【００２０】
光学部材３は、透光性を有する材料（例えばアクリル樹脂、ポリカーボネート樹脂、ガラスなど）からなり、中央部に円形の開口部３１ａが形成された円盤状の本体部３１を有する。本体部３１の一面（図１中の上面）には、図１及び図３に示すように前方（図３中の上側）に凸となるレンズ部３２，３３が同心円状に２列に設けられている。ここに本実施形態では、各実装基板２１の内側（給電部５側）に実装されたＬＥＤ２２に対応する形でレンズ部３２が設けられ、また各実装基板２１の外側（給電部５と反対側）に実装されたＬＥＤ２２に対応する形でレンズ部３３が設けられている。以下、レンズ部３２，３３について詳述する。
【００２１】
レンズ部３２は、前方（図３中の上側）に凸となる凸曲面に形成され、後方（図３中の下側）には対応するＬＥＤ２２を配置するための収納凹部３２ｃが設けられている。また、組付状態のレンズ部３２と給電部５とを結ぶ方向（第１の方向）（図３中の左右方向）においてレンズ部３２の給電部５側（図３中の左側）の端部には、第１の凸部３２ａが設けられており、この第１の凸部３２ａに入射されたＬＥＤ２２からの光は、前方に配置された拡散部材４の中心部側に向けて配光される。さらに、上記第１の方向においてレンズ部３２の給電部５と反対側（図３中の右側）の端部には、第２の凸部３２ｂが設けられており、この第２の凸部３２ｂに入射されたＬＥＤ２２からの光は、前方に配置された拡散部材４の外縁部側に向けて配光される。
【００２２】
レンズ部３３は、同じく前方（図３中の上側）に凸となる凸曲面に形成され、後方（図３中の下側）には対応するＬＥＤ２２を配置するための収納凹部３３ｃが設けられている。また、上記第１の方向においてレンズ部３３の給電部５側（図３中の左側）の端部には、第１の凸部３３ａが設けられており、この第１の凸部３３ａに入射されたＬＥＤ２２からの光は、前方に配置された拡散部材４の中心部側に向けて配光される。さらに、上記第１の方向においてレンズ部３３の給電部５と反対側（図３中の右側）の端部には、第２の凸部３３ｂが設けられており、この第２の凸部３３ｂに入射されたＬＥＤ２２からの光は、前方に配置された拡散部材４の外縁部側に向けて配光される。なおこの光学部材３は、例えば取付ねじ（図示せず）を用いて器具本体１に取り付けられる。また、レンズ部３２，３３の配光特性については後述する。
【００２３】
次に、照明器具Ａの組立手順について説明する。作業者が、器具本体１の中央部に給電部５を取り付けるとともに、器具本体１の一面（図１中の上面）に実装基板２１を取り付けた後、給電部５と各実装基板２１との間を電線（図示せず）を用いて電気的に接続する。その後作業者が、各実装基板２１を覆うように前方から光学部材３を器具本体１に取り付けた後、さらに前方から拡散部材４を器具本体１に取り付けることで、照明器具Ａの組み立てが完了する（図２（ａ）（ｂ）参照）。
【００２４】
そして、給電部５の後面側に一体に設けられた引掛けコネクタ６（図２（ｂ）参照）を、天井に設けられた引掛けシーリング（図示せず）に取り付けることで、照明器具Ａの施工が完了する。
【００２５】
続けて、光学部材３のレンズ部３２，３３の配光特性について説明する。図４（ａ）（ｂ）はレンズ部３２の配光特性図であり、ＬＥＤ２２から放射された光はレンズ部３２の出射面３２ｄから放射状に出射される。特に、第１の凸部３２ａから出射される光は図４（ａ）中の左側、すなわち拡散部材４の中心部側に向けて配光され、また第２の凸部３２ｂから出射される光は図４（ａ）中の右側、すなわち拡散部材４の外縁部側に向けて配光される。
【００２６】
一方、図５（ａ）（ｂ）はレンズ部３３の配光特性図であり、同じくＬＥＤ２２から放射された光はレンズ部３３の出射面３３ｄから放射状に出射される。特に、第１の凸部３３ａから出射される光は図５（ａ）中の左側、すなわち拡散部材４の中心部側に向けて配光され、また第２の凸部３３ｂから出射される光は図５（ａ）中の右側、すなわち拡散部材４の外縁部側に向けて配光される。
【００２７】
ここにおいて、図４（ｂ）と図５（ｂ）とを見比べると、ＬＥＤ２２の光軸（図４（ｂ）及び図５（ｂ）中の上下方向の軸）に対して、レンズ部３２の第１の凸部３２ａから出射される光のうち光強度が最も強い主ビームの出射角度が、レンズ部３３の第１の凸部３３ａから出射される光のうち光強度が最も強い主ビームの出射角度よりも大きくなっている。このことから、レンズ部３２の第１の凸部３２ａから出射される主ビームのほうが、レンズ部３３の第１の凸部３３ａから出射される主ビームよりも拡散部材４の中心部側に配光されていることが分かる。また、レンズ部３２の第１の凸部３２ａから出射される主ビームのほうが、レンズ部３３の第１の凸部３３ａから出射される主ビームよりも光強度が強いことが分かる。
【００２８】
さらに上記光軸に対して、レンズ部３２の第２の凸部３２ｂから出射される光のうち光強度が最も強い主ビームの出射角度は、レンズ部３３の第２の凸部３３ｂから出射される光のうち光強度が最も強い主ビームの出射角度と略同じ角度であることが分かる。また、レンズ部３３の第２の凸部３３ｂから出射される主ビームのほうが、レンズ部３２の第２の凸部３２ｂから出射される主ビームよりも光強度が強いことが分かる。ここに本実施形態では、第１の凸部３２ａ，３３ａから出射される主ビームが第１の主ビームであり、第２の凸部３２ｂ，３３ｂから出射される主ビームが第２の主ビームである。
【００２９】
而して本実施形態によれば、第１の凸部３２ａ，３３ａによってＬＥＤ２２から放射される光を拡散部材４の中心部側に向けて配光でき、さらに第２の凸部３２ｂ，３３ｂによってＬＥＤ２２から放射された光を拡散部材４の外縁部側に向けて配光することができる。また、拡散部材４の中心部と外縁部との間にはレンズ部３２，３３の他の部位から出射された光が配光されるので、ＬＥＤ２２から放射された光を拡散部材４の全面に配光することができる。その結果、拡散部材４の中心部や外縁部が暗くなってしまうのを抑えることができ、見栄えを向上させた照明器具Ａを提供することができる。
【００３０】
ところで上述の実施例では、レンズ部３２，３３がそれぞれ左右非対称で、レンズ部３２，３３の形状が互いに異なっている場合について説明したが、例えば図６（ａ）に示すように同じ形状のレンズ部３４であってもよい。この場合、各レンズ部３４の第１の凸部３４ａから出射される第１の主ビームはすべて同じ出射角度であり、また第２の凸部３４ｂから出射される第２の主ビームもすべて同じ出射角度である。その結果、拡散部材４に現れる輝度ムラを低減することができ、同様に見栄えを向上させた照明器具Ａを提供することができる。なお、この場合の各レンズ部３４の配光特性は図６（ｂ）に示す通りである。
【００３１】
また、図７（ａ）（ｂ）に示すようにＬＥＤ２２の光軸Ｐ１に対して対称形状のレンズ部３５であってもよい。この場合、光軸Ｐ１に対して、各レンズ部３５の第１の凸部３５ａから出射される第１の主ビームの出射角度と、第２の凸部３５ｂから出射される第２の主ビームの出射角度とが同角度に設定される。その結果、配光設計を容易に行うことができ、またレンズ部３５の中心部から出射される光の輝度が最も高く、両サイド（つまり第１及び第２の凸部３５ａ，３５ｂ側）に向かって輝度が単調に減少していくので、拡散部材４における輝度分布が滑らかになり、見栄えが向上する。
【００３２】
さらに、図８（ａ）に示すようにレンズ部３６の出射面３６ｄ及び入射面３６ｅにそれぞれ拡散処理（例えば塗装、ブラスト、凹凸など）を施してもよく、この場合、拡散部材４における輝度分布の変化がより滑らかになるので、見栄えがさらに向上する。なお拡散処理については、上述のように出射面３６ｄ及び入射面３６ｅの両方に施してもいいし、出射面３６ｄ又は入射面３６ｅの何れか一方のみに施してもよい。
【００３３】
また、ＬＥＤ２２の光軸Ｐ１近傍は他の部位に比べて輝度が高いため、レンズ部３６の出射面３６ｄ及び入射面３６ｅにおいて光軸Ｐ１近傍の拡散性を他の部位に比べて高めることで光軸Ｐ１近傍の輝度を低くするようにしてもよい（図８（ｂ）参照）。この場合、ＬＥＤ２２の光軸Ｐ１近傍の輝度を低く抑えることができ、その結果、拡散部材４における輝度分布がより滑らかになるので、見栄えがさらに向上する。
【００３４】
なお本実施形態では、レンズ部を２列設けているが、例えば１列であってもいいし、３列以上であってもよく、ＬＥＤに対応する形で適宜設ければよい。また、器具本体１の形状についても本実施形態に限定されるものではなく、例えば矩形状であってもいいし、それ以外の形状であってもよい。
【００３５】
さらに本実施形態では、各レンズ部の形状を同じ形状とすることで、第１の凸部から出射される第１の主ビームの出射角度及び第２の凸部から出射される第２の主ビームの出射角度が各レンズ部間で同角度となるようにしているが、各レンズ部の形状は必ずしも同じ形状である必要はなく、第１の主ビーム及び第２の主ビームの出射角度が各レンズ部間で同角度となる形状であればよい。また本実施形態では、各レンズ部の形状を光軸に対して対称形状とすることで、第１の凸部から出射される第１の主ビームの出射角度と第２の凸部から出射される第２の主ビームの出射角度が同角度となるようにしているが、各レンズ部の形状は必ずしも対称形状である必要はなく、第１の主ビームの出射角度と第２の主ビームの出射角度が同角度となる形状であればよい。
【００３６】
（実施形態２）
照明器具Ａの実施形態２について図９〜図１２を参照して説明する。なお、照明器具Ａの基本的な構成については実施形態１と同様であり、必要に応じて図１を参照する。
【００３７】
図９は本実施形態の照明器具Ａの配光状態を示す模式図である。一方（図９中の右側）のＬＥＤ２２は、半径ｒ１に設定された第１の円の周上に配置されており、他方（図９中の左側）のＬＥＤ２２は、上記第１の円と同心で且つ半径がｒ１よりも大きいｒ２（ｒ２＞ｒ１）に設定された第２の円の周上に配置されている。なお、図９中のｃ１は上記第１の円及び第２の円の中心である。ここに、上記第１の円の周上に配置されたＬＥＤ２２により第１のＬＥＤが構成され、上記第２の円の周上に配置されたＬＥＤ２２により第２のＬＥＤが構成されている。
【００３８】
また、これらのＬＥＤ２２の前方には、実施形態１と同様に円盤状の光学部材３（図１参照）が配置されており、各ＬＥＤ２２に対応する部位にはそれぞれ前方に凸となるレンズ部３８（図１０（ａ）参照）が設けられている。さらに、各レンズ部３８において一端側（図１０（ａ）中の右側）には、実施形態１と同様に第１の凸部３８ａが設けられており、他端側（図１０（ａ）中の左側）には第２の凸部３８ｂが設けられている。ここに、第１のＬＥＤに対応するレンズ部３８により第１のレンズ部が構成され、第２のＬＥＤに対応するレンズ部３８により第２のレンズ部が構成されている。
【００３９】
また、図９中の角度θ１は、上記第１のレンズ部の第１の凸部から出射される光のうち光強度が最も強い第１の主ビームｂ１と、上記第１のＬＥＤの光軸Ｐ３とのなす角度であり、角度θ２は、上記第２のレンズ部の第１の凸部から出射される光のうち光強度が最も強い第１の主ビームｂ２と、上記第２のＬＥＤの光軸Ｐ４とのなす角度である。さらに、図９中の点ａ１は、上記第１の主ビームｂ１と拡散部材４の内側面との交点であり、点ａ２は、上記第１の主ビームｂ２と拡散部材４の内側面との交点である。また、図９中の距離Ｌ１は、点ａ１から、上記第１の円及び第２の円の中心ｃ１を通り光軸Ｐ３と平行な第１の線Ｐ２までの距離であり、距離Ｌ２は、点ａ２から第１の線Ｐ２までの距離である。
【００４０】
ここで本実施形態では、第１のレンズ部及び第２のレンズ部の第１の凸部から出射される第１の主ビームｂ１，ｂ２の角度θ１，θ２が、下記（１）〜（４）式を満たすように設定されており、これにより拡散部材４の中央付近（第１の線Ｐ２近傍）への配光量を増加させることができる。以下、具体的に説明する。
２×ｒ１≧ｒ２            ・・・・（１）
３×Ｌ２≦Ｌ１            ・・・・（２）
ｒ１≧Ｌ１                ・・・・（３）
Ｌ２≧０                  ・・・・（４）
【００４１】
図１０（ａ）（ｂ）は本実施形態の光学部材３の配光特性図である。この光学部材３では、第１のレンズ部及び第２のレンズ部が同じレンズ部３８からなり、第１の凸部３８ａから出射される第１の主ビームｂ１，ｂ２と光軸Ｐ３，Ｐ４とのなす角度θ１＝θ２＝６５°に設定されている。一方、図１０（ｃ）（ｄ）は比較対象の光学部材３の配光特性図である。この光学部材３も、第１のレンズ部及び第２のレンズ部が同じレンズ部３７からなり、第１の凸部３７ａから出射される第１の主ビームｂ１，ｂ２と光軸Ｐ３，Ｐ４とのなす角度θ１＝θ２＝６９°に設定されている。
【００４２】
ここで、図１１（ｂ）は比較対象のレンズ部３７による配光状態を示す模式図であり、この場合、ｒ１＝１５５ｍｍ、ｒ２＝１９０ｍｍ、Ｌ１＝１０２．７４ｍｍ、Ｌ２＝５２．３７ｍｍに設定されている。これらの値を上記（１）〜（４）式に当てはめてみると、２×ｒ１＝２×１５５＝３１０ｍｍ＞ｒ２（＝１９０ｍｍ）、ｒ１（＝１５５ｍｍ）＞Ｌ１（＝１０２．７４ｍｍ）、Ｌ２＝５２．３７ｍｍ＞０となり、（１）、（３）、（４）式については満たしている。ところが、３×Ｌ２＝３×５２．３７＝１５７．１１ｍｍ＞Ｌ１（＝１０２．７４ｍｍ）となり、（２）式は満たしておらず、この場合は拡散部材４の中央部がやや暗くなっていた。
【００４３】
一方、図１１（ａ）は本実施形態のレンズ部３８による配光状態を示す模式図であり、この場合、ｒ１＝１２５ｍｍ、ｒ２＝１９０ｍｍ、Ｌ１＝７０．９９ｍｍ、Ｌ２＝１３．４５ｍｍに設定されている。これらの値を上記（１）〜（４）式に当てはめてみると、２×ｒ１＝２×１２５＝２５０ｍｍ＞ｒ２（＝１９０ｍｍ）、３×Ｌ２＝３×１３．４５＝４０．３５ｍｍ＜Ｌ１（＝７０．９９ｍｍ）、ｒ１（＝１２５ｍｍ）＞Ｌ１（＝７０．９９ｍｍ）、Ｌ２＝１３．４５ｍｍ＞０となり、（１）〜（４）式の全てを満たしている。また、図１１（ｂ）に示すものと比較すると、第１の主ビームｂ１，ｂ２が拡散部材４の中央寄りに照射されていることが分かる。
【００４４】
つまり、上記（１）〜（４）式を満たすようにｒ１、ｒ２、Ｌ１、Ｌ２、θ１、θ２をそれぞれ設定することで、図１２（ａ）（ｂ）に示すように拡散部材４の中央付近への配光量を増加させることができる。これにより、拡散部材４の輝度均斉度が向上し、より見栄えを向上させた照明器具Ａを提供することができる。
【００４５】
なお本実施形態では、第１のレンズ部と第２のレンズ部を同じ形状（レンズ部３８）としてるが、拡散部材４の中央付近への配光量を増加させることができるものであれば、異なる形状であってもよく、本実施形態に限定されない。また、ｒ１、ｒ２、Ｌ１、Ｌ２、θ１、θ２の値は一例であり、上記（１）〜（４）式のすべてを満たす値であれば他の値でもよく、同様に拡散部材４の輝度均斉度が向上し、より見栄えを向上させた照明器具Ａを提供することができる。
【符号の説明】
【００４６】
１  器具本体
２  発光部
３  光学部材
４  拡散部材
５  給電部
２２  ＬＥＤ
３２，３３  レンズ部
３２ａ，３３ａ  第１の凸部
３２ｂ，３３ｂ  第２の凸部
Ａ  照明器具
【図１】
0006052662.tif 000002
【図２】
0006052662.tif 000003
【図３】
0006052662.tif 000004
【図８】
0006052662.tif 000005
【図９】
0006052662.tif 000006
【図１１】
0006052662.tif 000007
【図４】
0006052662.tif 000008
【図５】
0006052662.tif 000009
【図６】
0006052662.tif 000010
【図７】
0006052662.tif 000011
【図１０】
0006052662.tif 000012
【図１２】
0006052662.tif 000013